【手続補正書】
【提出日】平成19年2月15日(2007.2.15)
【手続補正１】
【補正対象書類名】明細書
【補正対象項目名】特許請求の範囲
【補正方法】変更
【補正の内容】
【特許請求の範囲】
【請求項１】  波長分割多重化光通信システム用のマルチプレクサであって、
少なくとも第１、第２、第３、及び第４サーキュレータ・ポートを含む光サーキュレータと、
光サーキュレータの第１サーキュレータ・ポートと結合した第１光伝達経路を有し、信号λ１−λｎを含み、そして少なくとも１つの信号λ１がマルチプレクサによりドロップされる波長分割多重化光信号を運搬する光フアイバと、
第２サーキュレータ・ポートと光通信する第２光伝達経路と、
第２光伝達経路と結合され、λ１信号を検出してλ１信号の一部を通過させ、そして第１残余λ１信号及び信号λ２−λｎを光サーキュレータへ反射する第１検出器／フイルタと、
第３サーキュレータ・ポートと光通信し、そして光サーキュレータから受取った信号λ２−λｎを伝達する第３光伝達経路と、
第４光サーキュレータ・ポートと光通信し、そして第２光伝達経路の後で第３光伝達経路の前に位置する第４光伝達経路と、
第４光伝達経路に結合した第１光電子装置と、
を含むマルチプレクサ。
【請求項２】  第１光電子装置が、検出器／フイルタ、フイルタ及びレーザーから選択される請求項１に記載のマルチプレクサ。
【請求項３】  第１光電子装置が、第１残余信号λ１信号を検出し、第１残余λ１信号を通過させ、そして第２残余λ１信号及び信号λ２−λｎを反射する第２検出器／フイルタである請求項１に記載のマルチプレクサ。
【請求項４】  第１光電子装置が、第１残余λ１信号を通過し、そして第２残余λ１信号及び信号λ２−λｎを反射する第１フイルタである請求項１に記載のマルチプレクサ。
【請求項５】  第１光電子装置が、第１残余λ１信号及び信号λ２−λｎを反射し、そしてλ１信号を加えて戻す第１レーザーである請求項１に記載のマルチプレクサ。
【請求項６】  第１光電子装置が、第１残余λ１信号及び信号λ２−λｎを反射し、そしてλｎ＋１信号を加える第１レーザーである請求項１に記載のマルチプレクサ。
【請求項７】  第５光サーキュレータ・ポートと光通信し、第４光伝達経路の後で第３光伝達経路の前に位置する第５光伝達経路と、
第５光伝達経路に結合した第２光電子装置と、
をさらに含む請求項３に記載のマルチプレクサ。
【請求項８】  第２光電子装置が、第２残余信号λ１信号を検出し、第２残余λ１信号を通過し、そして第３残余λ１信号及び信号λ２−λｎを反射する第３検出器／フイルタである請求項７に記載のマルチプレクサ。
【請求項９】  第２光電子装置が、第２残余λ１信号を通過させ、そして第３残余λ１信号及び信号λ２−λｎを反射する第１フイルタである請求項７に記載のマルチプレクサ。
【請求項１０】  第２光電子装置が、第２残余λ１信号及び信号λ２−λｎを反射し、そしてλ１信号を加えて戻す第１レーザーである請求項７に記載のマルチプレクサ。
【請求項１１】  第２光電子装置が、第２残余λ１信号及び信号λ２−λｎを反射し、そしてλｎ＋１信号を加える第１レーザーである請求項７に記載のマルチプレクサ。
【請求項１２】  第５光サーキュレータ・ポートと光通信し、第４光伝達経路の後で第３光伝達経路の前に位置する第５光伝達経路と、
第５光伝達経路に結合した第２光電子装置と、
をさらに含む請求項４に記載のマルチプレクサ。
【請求項１３】  第５光サーキュレータ・ポートと光通信し、第４光伝達経路の後で第３光伝達経路の前に位置する第５光伝達経路と、
第５光伝達経路に結合した第２光電子装置と、
をさらに含む請求項６に記載のマルチプレクサ。
【請求項１４】  第６光サーキュレータ・ポートと光通信し、第５光伝達経路の後で第３光伝達経路の前に位置する第６光伝達経路と、
第６光伝達経路に結合し、第３残余λ１信号と信号λ２−λｎを反射し、そして信号λ１を加えて戻す第１レーザーと、
をさらに含む請求項８に記載のマルチプレクサ。
【請求項１５】  検出器／フイルタ、フイルタ、及びレーザーが各々、同調可能である請求項２に記載のマルチプレクサ。
【請求項１６】  検出器／フイルタ、フイルタ、及びレーザーが各々、プログラム的に同調可能である請求項２に記載のマルチプレクサ。
【請求項１７】  第１検出器／フイルタ及び光サーキュレータの間に位置する第２光伝達経路に結合された双方向光増幅器をさらに含む請求項１に記載のマルチプレクサ。
【請求項１８】  第１検出器／フイルタが、一体型検出器及びフイルタ装置である請求項１に記載のマルチプレクサ。
【請求項１９】  第１検出器／フイルタが、非一体型検出器及びフイルタである請求項１に記載のマルチプレクサ。
【請求項２０】  λ１信号が、信号λ１−λｎのいずれかの波長である請求項１に記載のマルチプレクサ。
【請求項２１】  波長分割多重化光通信システム用のマルチプレクサであって、
少なくとも第１、第２、第３、及び第４サーキュレータ・ポートを含む光サーキュレータと、
光サーキュレータの第１サーキュレータ・ポートと結合した第１光伝達経路を有し、信号λ１−λｎを含み、そして少なくとも１つの信号λ１がマルチプレクサによりドロップされる波長分割多重化光信号を運搬する光フアイバと、
第２サーキュレータ・ポートと光通信する第２光伝達経路と、
第２光伝達経路と結合され、λ１信号の一部を通過させ、そして第１残余λ１信号及び信号λ２−λｎを光サーキュレータへ反射する第１フイルタと、
第３サーキュレータ・ポートと光通信し、そして光サーキュレータから受取った信号λ２−λｎを伝達する第３光伝達経路と、
第４光サーキュレータ・ポートと光通信し、そして第２光伝達経路の後で第３光伝達経路の前に位置する第４光伝達経路と、
第４光伝達経路に結合した第１光電子装置と、
を含むマルチプレクサ。
【請求項２２】  波長分割多重化光通信システム用のマルチプレクサであって、
少なくとも第１、第２、第３、及び第４サーキュレータ・ポートを含む光サーキュレータと、
光サーキュレータの第１サーキュレータ・ポートと結合した第１光伝達経路を有し、信号λ１−λｎを含む波長分割多重化光信号を運搬する光フアイバと、
第２サーキュレータ・ポートと光通信する第２光伝達経路と、
第２光伝達経路と結合され、信号λ１−λｎを反射し、信号λｎ＋１を追加する第１レーザーと、
第３サーキュレータ・ポートと光通信し、そして光サーキュレータから受取った信号λ１−λｎ及び信号λｎ＋１を伝達する第３光伝達経路と、
第４光サーキュレータ・ポートと光通信し、そして第２光伝達経路の後で第３光伝達経路の前に位置する第４光伝達経路と、
第４光伝達経路に結合した第１光電子装置と、
を含むマルチプレクサ。
【請求項２３】  波長分割多重化光通信システムのためのマルチプレクサであって、
少なくとも第１、第２、及び第３サーキュレータ・ポートを含む第１光サーキュレータと、
第１光サーキュレータの第１サーキュレータ・ポートに結合された第１光伝達経路を有し、信号λ１−λｎを含む波長分割多重化光信号を運搬する光フアイバと、
第１光サーキュレータの第２サーキュレータ・ポートと光通信する第２光伝達経路と、
第２光伝達経路と光通信する第１光電子装置と、
少なくとも第１、第２及び第３サーキュレータ・ポートを含む第２光サーキュレータと、
第１光サーキュレータの第３サーキュレータ・ポート及び第２光サーキュレータの第１サーキュレータ・ポートと光通信する第３光伝達経路と、
第３光伝達経路に結合され、信号λ１をドロップする拒絶フイルタと、
第２光サーキュレータの第２サーキュレータ・ポートと光通信する第４光伝達経路と、
第４光伝達経路と光通信する第２光電子装置と、
第２光サーキュレータの第３サーキュレータ・ポートと光通信する第５光伝達経路と、
を備えたマルチプレクサ。
【請求項２４】  第１光電子装置が、フイルタ、検出器／フイルタ、及びレーザーから選択される請求項２３に記載のマルチプレクサ。
【請求項２５】  波長分割多重化光通信システムのためのマルチプレクサであって、
少なくとも第１、第２、及び第３サーキュレータ・ポートを含む第１光サーキュレータと、
第１光サーキュレータの第１サーキュレータ・ポートに結合された第１光伝達経路を有し、信号λ１−λｎを含む波長分割多重化光信号を運搬する光フアイバと、
第１光サーキュレータの第２サーキュレータ・ポートと光通信する第２光伝達経路と、
第２光伝達経路と光通信し、信号λｎ＋１を追加する第１レーザーと、
少なくとも第１、第２及び第３サーキュレータ・ポートを含む第２光サーキュレータと、
第１光サーキュレータの第３サーキュレータ・ポート及び第２光サーキュレータの第１サーキュレータ・ポートと光通信する第３光伝達経路と、
第２光サーキュレータの第２サーキュレータ・ポートと光通信する第４光伝達経路と、
第４光伝達経路と光通信する第２光電子装置と、
第２光サーキュレータの第３サーキュレータ・ポートと光通信する第５光伝達経路と、
を備えたマルチプレクサ。
【請求項２６】  波長分割多重化光通信システムのためのマルチプレクサであって、
少なくとも第１、第２、及び第３サーキュレータ・ポートを含む第１光サーキュレータと、
第１光サーキュレータの第１サーキュレータ・ポートに結合された第１光伝達経路を有し、信号λ１−λｎを含む波長分割多重化光信号を運搬する光フアイバと、
第１光サーキュレータの第２サーキュレータ・ポートと光通信する第２光伝達経路と、
第２光伝達経路と光通信し、信号λ１を検出して信号λ１の一部を通過し、そして第１残余λ１信号及びλ２−λｎを反射する第１検出器／フイルタと、
少なくとも第１、第２及び第３サーキュレータ・ポートを含む第２光サーキュレータと、
第１光サーキュレータの第３サーキュレータ・ポート及び第２光サーキュレータの第１サーキュレータ・ポートと光通信する第３光伝達経路と、
第２光サーキュレータの第２サーキュレータ・ポートと光通信する第４光伝達経路と、
第４光伝達経路と光通信し、第２検出器／フイルタ及びフイルタから選択された第２光電子装置と、
第２光サーキュレータの第３サーキュレータ・ポートと光通信する第５光伝達経路と、  を備えたマルチプレクサ。
【請求項２７】  信号λ１−λｎを含む波長分割多重化光信号を運搬する入力フアイバと、
第１マウント表面を有する第１基板と、
第１マウント表面に位置し、検出器／フイルタ及びフイルタから選ばれた第１光電子装置と、
第１光電子装置からの出力を受取るように位置し、検出器／フイルタ、フイルタ及びミラーから選択された第２光電子装置と、
を含むデマルチプレクサ。
【請求項２８】  信号λ１−λｎを含む波長分割多重化光信号を運搬する入力フアイバと、
第１マウント表面を有する第１基板と、
第１マウント表面を有する第２基板と、
第１基板の第１マウント表面に位置し、検出器／フイルタ及びフイルタから選ばれた第１光電子装置と、
第２基板の第１マウント表面に位置し、第１光電子装置から出力を受取る、検出器／フイルタ及びフイルタから選択された第２光電子装置と、
を含むデマルチプレクサ。
【請求項２９】  信号λ１−λｎを含む波長分割多重化光信号を運搬する入力フアイバと、
第１マウント表面を有する第１基板と、
反射表面を有する第２基板と、
第１基板の第１マウント表面に位置し、反射表面に入射する出力を発生する、検出器／フイルタ及びフイルタから選ばれた第１光電子装置と、
第１基板の第１マウント表面に位置し、反射表面から第１光電子装置の出力を受取る、検出器／フイルタ及びフイルタから選択された第２光電子装置と、
を含むデマルチプレクサ。
【請求項３０】  信号λ１−λｎを含む波長分割多重化光信号を運搬する入力フアイバと、
前記多重化光信号を受取るように位置し、検出器／フイルタ及びフイルタから選ばれた第１光電子装置と、
を含むデマルチプレクサ。
【請求項３１】  波長分割多重化光通信システムのためのマルチプレクサであって、
少なくとも第１、第２、及び第３サーキュレータ・ポートを含む光サーキュレータと、
第１サーキュレータ・ポートと光通信する第１光伝達経路と、
第１光伝達経路から光サーキュレータへ送信される信号λ１を発生するレーザーと、
第２サーキュレータ・ポートと光通信する第２光伝達経路と、
第２光伝達経路と結合し、光サーキュレータに伝達される信号λ２を追加する第２レーザーと、
第２光伝達経路と結合し、信号λ１及び信号λ２を反射する第１フイルタと、
第３サーキュレータ・ポートと光通信し、信号λ１及び信号λ２を反射する第３光伝達経路と、
を備えたマルチプレクサ。
【請求項３２】  波長分割多重化光通信システムのためのデマルチプレクサであって、
少なくとも第１、第２、及び第３サーキュレータ・ポートを含む光サーキュレータと、
光サーキュレータの第１サーキュレータ・ポートと結合した第１光伝達経路を有し、信号λ１−λｎを含み少なくとも１つの信号λ１がデマルチプレクサによりドロップされる波長分割多重化光信号を運搬する入力フアイバと、
第２サーキュレータ・ポートと光通信する第２光伝達経路と、
第２光伝達経路と結合し、検出器／フイルタ及びフイルタから選択される第１光電子装置と、
第３サーキュレータ・ポートと光通信する第３光伝達経路と、
第３光伝達経路と光通信し、検出器／フイルタ及びフイルタから選択される第２光電子装置と、
を備えたデマルチプレクサ。
【請求項３３】  少なくとも第１、第２、及び第３サーキュレータ・ポートを含む光サーキュレータと、
光サーキュレータの第１サーキュレータ・ポートに結合された第１光伝達経路を有し、信号λ１−λｎを含み、少なくとも１つの信号λ１がマルチプレクサによりドロップされる波長分割多重化光信号を運搬する光フアイバと、
第２サーキュレータ・ポートと光通信する第２光伝達経路と、
第２光伝達経路と結合し、λ１信号の一部を通過し、そして第１残余λ１信号及びλ２−λｎを光サーキュレータへ反射する第１フイルタと、
第３サーキュレータ・ポートと光通信し、光サーキュレータから受取った信号λ２−λｎを伝達する第３光伝達経路と、
を備えたマルチプレクサ。